【手続補正書】
【提出日】令和3年11月19日(2021.11.19)
【手続補正１】
【補正対象書類名】明細書
【補正対象項目名】発明の名称
【補正方法】変更
【補正の内容】
【発明の名称】マグネットロール、現像剤担持体、現像装置及び現像装置の製造方法
【手続補正２】
【補正対象書類名】明細書
【補正対象項目名】０００１
【補正方法】変更
【補正の内容】
【０００１】
本発明は、マグネットロール、現像剤担持体、現像装置及び現像装置の製造方法に関する。
【手続補正３】
【補正対象書類名】明細書
【補正対象項目名】０００９
【補正方法】変更
【補正の内容】
【０００９】
第一の発明は、上記の課題に鑑みてなされたものである。第一の発明の目的は、マグネットが有する規制極の磁束密度の極大ピーク値を考慮してＳＢギャップの大きさを調整する事により、現像装置の個体ごとの現像剤コート量のバラツキを抑制する事が可能なマグネットロール、現像剤担持体、現像装置及び現像装置の製造方法を提供する事にある。
【手続補正４】
【補正対象書類名】明細書
【補正対象項目名】００１０
【補正方法】変更
【補正の内容】
【００１０】
また、第二の発明は、上記の課題に鑑みてなされたものである。第二の発明の目的は、マグネットが有する規制極の磁束密度の極大ピーク位置を考慮してＳＢギャップの大きさを調整する事により、現像装置の個体ごとの現像剤コート量のバラツキを抑制する事が可能なマグネットロール、現像剤担持体、現像装置及び現像装置の製造方法を提供する事にある。
【手続補正５】
【補正対象書類名】明細書
【補正対象項目名】００１１
【補正方法】変更
【補正の内容】
【００１１】
上記目的を達成するために本発明の一態様に係るマグネットロールは以下のような構成を備える。即ち、現像位置に現像剤を担持し搬送する回転可能な現像剤担持体の内部に非回転に固定して配置されたマグネットロールであって、マグネットと、前記マグネットを固定するためのシャフトと、を備え、前記マグネットロールには、前記マグネットの磁束密度に関する情報が設けられていることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、上記目的を達成するために本発明の一態様に係る現像剤担持体は以下のような構成を備える。即ち、現像位置に現像剤を担持し搬送する現像剤担持体であって、回転可能なスリーブと、前記スリーブの内部に非回転に固定して配置されたマグネットと、を備え、前記現像剤担持体には、前記マグネットの磁束密度に関する情報が設けられていることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
上記目的を達成するために本発明の一態様に係る現像装置の製造方法は以下のような構成を備える。即ち、現像剤を収容する現像容器と、現像位置に前記現像剤を担持し搬送する回転可能な現像剤担持体と、前記現像剤担持体の内部に非回転に固定して配置されたマグネットと、前記現像剤担持体に担持される現像剤の量を規制する規制部材と、を有する現像装置の製造方法であって、前記マグネットの磁束密度に関する情報を前記現像剤担持体から取得する取得工程と、前記取得工程で取得された前記マグネットの磁束密度に関する情報に基づいて、前記現像剤担持体に対する前記規制部材の位置を調整する調整工程と、前記調整工程で前記現像剤担持体に対する前記規制部材の位置が調整された状態で、前記規制部材を前記現像容器に固定する固定工程と、を有することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
現像位置に現像剤を担持し搬送する回転可能な現像剤担持体の内部に非回転に固定して配置されたマグネットロールであって、
マグネットと、
前記マグネットを固定するためのシャフトと、
を備え、
前記マグネットロールには、前記マグネットの磁束密度に関する情報が設けられている
ことを特徴とするマグネットロール。
【請求項２】
前記マグネットの磁束密度に関する情報は、前記シャフトに設けられている
ことを特徴とする請求項１に記載のマグネットロール。
【請求項３】
前記マグネットの磁束密度に関する情報は、前記マグネットに設けられている
ことを特徴とする請求項１に記載のマグネットロール。
【請求項４】
前記マグネットロールには、前記マグネットの磁束密度に関する情報が記録されたバーコードが設けられている
ことを特徴とする請求項１乃至３のいずれか１項に記載のマグネットロール。
【請求項５】
前記マグネットの磁束密度に関する情報は、前記マグネットロールに刻印されている
ことを特徴とする請求項１乃至３のいずれか１項に記載のマグネットロール。
【請求項６】
前記マグネットの磁束密度に関する情報は、前記マグネットロールに印刷されている
ことを特徴とする請求項１乃至３のいずれか１項に記載のマグネットロール。
【請求項７】
現像位置に現像剤を担持し搬送する現像剤担持体であって、
回転可能なスリーブと、
前記スリーブの内部に非回転に固定して配置されたマグネットと、
を備え、
前記現像剤担持体には、前記マグネットの磁束密度に関する情報が設けられている
ことを特徴とする現像剤担持体。
【請求項８】
前記スリーブの回転軸線方向の端部に設けられたフランジを更に備え、
前記マグネットの磁束密度に関する情報は、前記フランジに設けられている
ことを特徴とする請求項７に記載の現像剤担持体。
【請求項９】
前記マグネットの磁束密度に関する情報は、前記スリーブに設けられている
ことを特徴とする請求項７に記載の現像剤担持体。
【請求項１０】
前記現像剤担持体には、前記マグネットの磁束密度に関する情報が記録されたバーコードが設けられている
ことを特徴とする請求項７乃至９のいずれか１項に記載の現像剤担持体。
【請求項１１】
前記マグネットの磁束密度に関する情報は、前記現像剤担持体に刻印されている
ことを特徴とする請求項７乃至９のいずれか１項に記載の現像剤担持体。
【請求項１２】
前記マグネットの磁束密度に関する情報は、前記現像剤担持体に印刷されている
ことを特徴とする請求項７乃至９のいずれか１項に記載の現像剤担持体。
【請求項１３】
請求項７乃至１２のいずれか１項に記載の現像剤担持体と、
前記現像剤を収容する現像容器と、
前記現像剤担持体に担持される現像剤の量を規制する規制部材と、
を備え、
前記マグネットは、前記規制部材に対向して配置される規制極を含む複数の磁極を有し、
前記マグネットの磁束密度に関する情報は、前記規制極の磁束密度の極大ピーク値に関する情報である
ことを特徴とする現像装置。
【請求項１４】
前記規制極の磁束密度の極大ピーク値に関する情報は、前記マグネットの長手方向の一端部における前記規制極の磁束密度の極大ピーク値に関する情報、前記マグネットの長手方向の他端部における前記規制極の磁束密度の極大ピーク値に関する情報、及び前記マグネットの長手方向の中央部における前記規制極の磁束密度の極大ピーク値に関する情報である
ことを特徴とする請求項１３に記載の現像装置。
【請求項１５】
請求項７乃至１２のいずれか１項に記載の現像剤担持体と、
前記現像剤を収容する現像容器と、
前記現像剤担持体に担持される現像剤の量を規制する規制部材と、
を備え、
前記マグネットは、前記規制部材に対向して配置される規制極を含む複数の磁極を有し、
前記マグネットの磁束密度に関する情報は、前記規制極の磁束密度が極大ピークとなる位置に関する情報である
ことを特徴とする現像装置。
【請求項１６】
前記規制極の磁束密度が極大ピークとなる位置に関する情報は、前記マグネットの長手方向の一端部における前記規制極の磁束密度が極大ピークとなる位置に関する情報、前記マグネットの長手方向の他端部における前記規制極の磁束密度が極大ピークとなる位置に関する情報、及び前記マグネットの長手方向の中央部における前記規制極の磁束密度が極大ピークとなる位置に関する情報である
ことを特徴とする請求項１５に記載の現像装置。
【請求項１７】
請求項７乃至１２のいずれか１項に記載の現像剤担持体と、
前記現像剤を収容する現像容器と、
前記現像剤担持体に担持される現像剤の量を規制する規制部材と、
を備え、
前記マグネットは、前記規制部材に対向して配置される規制極を含む複数の磁極を有し、
前記マグネットの磁束密度に関する情報は、前記規制極の磁束密度の極大ピーク値に関する情報、及び前記規制極の磁束密度が極大ピークとなる位置に関する情報である
ことを特徴とする現像装置。
【請求項１８】
現像剤を収容する現像容器と、現像位置に前記現像剤を担持し搬送する回転可能な現像剤担持体と、前記現像剤担持体の内部に非回転に固定して配置されたマグネットと、前記現像剤担持体に担持される現像剤の量を規制する規制部材と、を有する現像装置の製造方法であって、
前記マグネットの磁束密度に関する情報を前記現像剤担持体から取得する取得工程と、
前記取得工程で取得された前記マグネットの磁束密度に関する情報に基づいて、前記現像剤担持体に対する前記規制部材の位置を調整する調整工程と、
前記調整工程で前記現像剤担持体に対する前記規制部材の位置が調整された状態で、前記規制部材を前記現像容器に固定する固定工程と、
を有することを特徴とする現像装置の製造方法。
【請求項１９】
前記取得工程は、前記マグネットの磁束密度に関する情報として、前記マグネットの前記規制部材に対向して配置される規制極の磁束密度の極大ピーク値に関する情報を前記現像剤担持体から取得し、
前記調整工程は、前記取得工程で取得された前記規制極の磁束密度の極大ピーク値に関する情報に基づいて、前記現像剤担持体に対する前記規制部材の位置を調整する
ことを特徴とする請求項１８に記載の現像装置の製造方法。
【請求項２０】
前記取得工程は、前記マグネットの磁束密度に関する情報として、前記マグネットの前記規制部材に対向して配置される規制極の磁束密度が極大ピークとなる位置に関する情報を前記現像剤担持体から取得し、
前記調整工程は、前記取得工程で取得された前記規制極の磁束密度の極大ピークとなる位置に関する情報に基づいて、前記現像剤担持体に対する前記規制部材の位置を調整する
ことを特徴とする請求項１８に記載の現像装置の製造方法。
【請求項２１】
前記取得工程は、前記マグネットの磁束密度に関する情報として、前記マグネットの前記規制部材に対向して配置される規制極の磁束密度の極大ピーク値に関する情報及び前記規制極の磁束密度が極大ピークとなる位置に関する情報を前記現像剤担持体から取得し、
前記調整工程は、前記取得工程で取得された前記規制極の磁束密度の極大ピーク値に関する情報及び前記規制極の磁束密度が極大ピークとなる位置に関する情報に基づいて、前記現像剤担持体に対する前記規制部材の位置を調整する
ことを特徴とする請求項１８に記載の現像装置の製造方法。
【請求項２２】
前記現像剤担持体に設けられたバーコードを読み取る読取工程を更に有し、
前記取得工程は、前記読取工程で前記バーコードを読み取ることによって、前記マグネットの磁束密度に関する情報を前記現像剤担持体から取得する
ことを特徴とする請求項１８乃至２１のいずれか１項に記載の現像装置の製造方法。
【請求項２３】
前記現像容器に前記現像剤担持体を取り付ける取付工程を更に有し、
前記取得工程は、前記マグネットの磁束密度に関する情報を前記取付工程で前記現像容器に取り付けられた前記現像剤担持体から取得する
ことを特徴とする請求項１８乃至２２のいずれか１項に記載の現像装置の製造方法。
【請求項２４】
前記取得工程で取得された前記マグネットの磁束密度に関する情報に基づいて、前記現像剤担持体と前記規制部材との間のギャップのターゲット値を決定する決定工程を更に有し、
前記調整工程は、前記決定工程で決定された前記ターゲット値に基づいて、前記現像剤担持体に対する前記規制部材の位置を調整する
ことを特徴とする請求項１８乃至２３のいずれか１項に記載の現像装置の製造方法。
【請求項２５】
前記取得工程で取得された前記マグネットの磁束密度に関する情報に基づいて、前記現像剤担持体と前記規制部材との間のギャップの最大値と最小値を決定する決定工程を更に有し、
前記調整工程は、前記ギャップが前記決定工程で決定された前記最大値と前記最小値の間の値になるように、前記現像剤担持体に対する前記規制部材の位置を調整する
ことを特徴とする請求項１８乃至２３のいずれか１項に記載の現像装置の製造方法。